(57)【特許請求の範囲】
【請求項１】
投入されたコインの種別を識別するコイン識別部と、該コイン識別部で識別されたコインを行き先毎に振り分ける複数の振り分け部と、該各振り分け部のうち所定の振り分け部で振り分けられたコインをコイン通路上に一時的に保留する一時保留部とを備え、保留されたコインを返却通路、コインチューブ或いは金庫に導く自動販売機等に搭載されたコイン処理装置において、
前記一時保留部は、コイン通路中に上流から下流に向かって振り分け機能を備えた第１保留部と第２保留部を順に備え、
前記第１保留部は、投入されたコインの枚数が第１保留部での保留許容枚数を超えたときは、保留コインを前記第２保留部側に振り分けるよう設定するとともに、商品購入指令があり、かつ、第２コインチューブが収納規制レベルに達していないとき、商品購入指令があり、かつ、第１及び第２コインチューブの両者が収納規制レベルに達しているとき、又はコイン返却指令があったときは、保留コインを第２保留部側に振り分けるよう設定する一方、商品購入指令があり、かつ、第２コインチューブが収納規制レベルに達しており、第１コインチューブが収納規制レベルに達していないときは、保留コインを第１コインチューブに振り分けるよう設定し、
前記第２保留部は第１保留部から導かれたコインを一時保留するとともに、コイン返却指令があったときは保留コインを返却通路に振り分ける一方、商品購入指令があったときは保留コインを第２コインチューブ又は金庫に振り分けるよう設定した
ことを特徴とするコイン処理装置。
【請求項２】
前記一時保留部は、取り扱いコインの中で２番目に高額なコインを一時保留する
ことを特徴とする請求項１記載のコイン処理装置。
【請求項３】
前記一時保留部とは別個に、取り扱いコインの中で１番高額なコインを一時保留する一時保留部を有する
ことを特徴とする請求項２記載のコイン処理装置。
【請求項４】
前記第１保留部及び前記第２保留部はコイン１枚以上保留可能である
ことを特徴とする請求項１乃至請求項３の何れか１項記載のコイン処理装置。
【発明の詳細な説明】
【０００１】
【発明の属する技術分野】
本発明は、自動販売機等に内蔵され、投入されたコインを一時保留する構造を備えたコイン処理装置に関するものである。
【０００２】
【従来の技術】
従来、自動販売機に内蔵され、コイン一時保留機能を備えたコイン処理装置として特開平１１−２８８４８０号公報に開示されたものが知られている。
【０００３】
このコイン処理装置において、商品購入のためにコインが投入されたときは、このコインの正偽及びコインの種別をコイン識別装置で識別し、コインが偽貨のときは返却口に戻し、一方、コインが正貨であるときは、コインの種別に対応して振り分け部を駆動し、各コイン通路を通じて各種コインチューブに収納する。ここで、投入されたコインが５００円コインの場合は、５００円用のコイン通路に設置された一時保留部で一旦保留し、商品の購入操作（商品選択ボタンの押し操作）が行われたとき、コイン保留を解除し、５００円用のコインチューブに収納する。一方、コインの返却操作（返却レバーの回動操作）が行われたときは、コイン保留を同じく解除し、この５００円コインを返却口に戻す。
【０００４】
このようにコイン返却操作がされたとき、投入された５００円コインをそのまま返却する構造を採用することにより、偽造・変造５００円コイン（正貨と誤判定される偽５００円コイン）を投入して返却操作時にコインチューブから５００円に対応する正貨を窃取するという、犯罪両替行為を防止している。
【０００５】
【発明が解決しようとする課題】
しかしながら、前記従来のコイン処理装置では、５００円コインの犯罪両替行為を防止することができるが、それ以外の取り扱いコイン、例えば２番目に高額な１００円コインについては、その偽造・変造コイン（例えば、韓国貨幣１００ウオンの変造が想定される）に対応することができなかった。
【０００６】
また、この１００円等のコインの一時保留部を設ける場合において、この保留されたコインをコインチューブや金庫に収容する構造も、勿論、開発されていない。
【０００７】
本発明の目的は、前記従来の問題点に鑑み、５００円コイン以外のコイン例えば１００円コインを一時保留して犯罪両替行為を防止、また、この保留コインをコインチューブ又は金庫に収容できるコイン処理装置を提供することにある。
【０００８】
【課題を解決するための手段】
本発明は前記従来の課題に鑑み、請求項１の発明は、投入されたコインの種別を識別するコイン識別部と、コイン識別部で識別されたコインを行き先毎に振り分ける複数の振り分け部と、各振り分け部のうち所定の振り分け部で振り分けられたコインをコイン通路上に一時的に保留する一時保留部とを備え、保留されたコインを返却通路、コインチューブ或いは金庫に導く自動販売機等に搭載されたコイン処理装置において、一時保留部は、コイン通路中に上流から下流に向かって振り分け機能を備えた第１保留部と第２保留部を順に備え、第１保留部は、投入されたコインの枚数が第１保留部での保留許容枚数を超えたときは、保留コインを第２保留部側に振り分けるよう設定するとともに、商品購入指令があり、かつ、第２コインチューブが収納規制レベルに達していないとき、商品購入指令があり、かつ、第１及び第２コインチューブの両者が収納規制レベルに達しているとき、又はコイン返却指令があったときは、保留コインを第２保留部側に振り分けるよう設定する一方、商品購入指令があり、かつ、第２コインチューブが収納規制レベルに達しており、第１コインチューブが収納規制レベルに達していないときは、保留コインを第１コインチューブに振り分けるよう設定し、第２保留部は第１保留部から導かれたコインを一時保留するとともに、コイン返却指令があったときは保留コインを返却通路に振り分ける一方、商品購入指令があったときは保留コインを第２コインチューブ又は金庫に振り分けるよう設定した構造となっている。
【００１４】
請求項１の発明によれば、例えば１００円コインが投入され、これが正貨と判定されたときは、この１００円コインが振り分け部を通じて第１保留部で保留される。ここで、投入されたコインの枚数が第１保留部での保留許容枚数を超えたときは、第１保留部に保留されているコインを第２保留部側に導く。
【００１５】
また、商品購入指令があったとき、第２コインチューブが収納規制レベルに達するとともに第１コインチューブが収納規制レベルに達していないときのみ、第１保留部のコインが第１コインチューブに導かれ、その以外の場合は、全て第２保留部側に導かれる。この第２保留部に導かれたコインは、返却指令に基づき返却通路に導かれ、また、商品購入指令があったときは、第２コインチューブ又は金庫に導かれる。
【００１８】
請求項２の発明に係る一時保留部は、取り扱いコインの中で２番目に高額なコインを一時保留するようになっている。現在、自動販売機等に搭載されているコイン処理装置では１００円コインがこれに該当する。
【００１９】
請求項３の発明では、一時保留部とは別個に、取り扱いコインの中で１番高額なコインを一時保留する一時保留部を有する構造となっており、このコイン処理装置では１００円コインを一時保留するとともに、５００円コインも一時保留することとなる。
【００２０】
請求項４の発明に係る第１保留部及び第２保留部はコイン１枚以上保留可能となっている。
【００２１】
【発明の実施の形態】
図１乃至図１３は本発明に係るコイン処理装置の第１実施形態を示すもので、図１はコイン処理装置の背面図、図２はコイン処理装置のコイン識別部及びコイン振り分け部を示す内部構造図、図３はコイン処理装置のコイン振り分け部及びコイン収納部の構造を示す斜視図、図４の(a)(b)は第２振り分け部の動作を示す断面図、図５の(a)(b)(c)は第１保留部の動作を示す断面図、図６の(a)(b)(c)(d)は返却指令時における第２保留部の動作を示す断面図、図７の(a)(b)は第２チューブ収納時における第２保留部の動作を示す断面図、図８の(a)(b)は金庫収納時における第２保留部の動作を示す断面図、図９はコイン処理装置の駆動制御回路を示すブロック図、図１０は１００円コイン処理制御を示すフローチャート、図１１は１枚コイン処理モードを示すフローチャート、図１２は２枚コイン処理モードを示すフローチャート、図１３は３枚コイン処理モードを示すフローチャートである。
【００２２】
まず、コイン処理装置の概略構成を図１乃至図３を参照して説明する。即ち、このコイン処理装置１は例えば自動販売機に搭載されており、コインの投入口１ａから投入されたコインＡ（１０円コイン、５０円コイン、１００円コイン、５００円コイン）を識別するコイン識別部１０と、コイン識別部１０で識別されたコインを振り分けるコイン振り分け部２０と、コイン振り分け部２０で振り分けられたコインを収納するコイン収納部３０とから構成されており、購入商品に対する金銭処理を行っている。このコイン収納部３０はコイン処理装置１の背面に設置されたリヤカバー１ｂの内側に配置されており、このリヤカバー１ｂを開閉することによりコイン収納部３０へのメンテナンスを行うことができる。
【００２３】
コイン識別部１０は通常所定周波数の信号を投入コインに発信し、その受信周波数の変化に基づき、正貨、偽貨、更には１０円コイン、５０円コイン、１００円コイン、５００円コインの種別を識別している。
【００２４】
コイン振り分け部２０は、コイン転動の上手側から下手側に向かって、第１〜第８の振り分け部２０１〜２０８を有している。
【００２５】
ここで、第１振り分け部２０１は、回動式の回動フラッパ２０１ａを有し、この回動フラッパ２０１ａをソレノイドＳＣ１で回動する。ソレノイドＳＣ１が非励磁状態（ＯＦＦ）のときは（投入コインが偽貨と判定したとき）は、投入コインが回動フラッパ２０１ａの前面を通り、図示しない返却通路を通じて返却口に返却される。一方、励磁状態（ＯＮ）のときは（投入コインが正貨であると判定したときは）、投入コインを回動フラッパ２０１ａの裏側に通し、第２振り分け部２０２に向かって落下する。このように、第１振り分け部２０１は投入コインの真偽に基づきコインを振り分けている。
【００２６】
第２振り分け部２０２は、図４の(a)(b)にも示すように、第１振り分け部２０１で正貨と判定されたコインを１００円コインとそれ以外の１０円コイン、５０円コイン及び５００円コインに振り分けるものである。この第２振り分け部２０２は二股に分岐した前後のガイド２０２ａ，２０２ｂを有し、これをソレノイドＳＣ２でコイン通路Ａから出没させている。このソレノイドＳＣ２が非励磁（ＯＦＦ）のときは、図４の(a)に示すように、１０円コイン、５０円コイン及び５００円コインを後方のガイド２０２ｂに転動させて第３振り分け部２０３に向かって案内する。一方、励磁状態（ＯＮ）のときは図４の(b)に示すように、第２振り分け部２０２を後方に向かって引き、これにより、１００円コインを前方のガイド２０２ａに落下させて第４振り分け部２０４に向かって案内している。なお、１０円コインのコインチューブＣＴ１０や５０円のコインチューブＣＴ５０が満杯の時も前述を同様の操作により第４振り出し部２０４に向かって１０円コイン及び５０円コインを案内する。
【００２７】
第３振り分け部２０３は、第２振り分け部２０２で振り分けられた１０円コイン及び５０円コインと５００円コインに振り分けるものである。この第３振り分け部２０３は回転軸２０３ａから上手側に向かって延在した回動フラッパ２０３ｂを有し、この回動フラッパ２０３ｂの中央寄りの側面ピン２０３ｃにソレノイドＳＣ３を連結し、回動フラッパ２０３ｂを回動する。また、この第３振り分け部２０３の回転軸２０３ａから下手側には第１の５００円コイン一時保留部２１１が形成されている。この一時保留部２１１は回転軸２０３ａからコイン通路Ａの下手側に向かって回動アーム２１１ａが延在されており、この回動アーム２１１ａの先端にはコイン通路Ａに向かって突出した保留突起２１１ｂを有する。
【００２８】
ここで、ソレノイドＳＣ３が非励磁状態（ＯＦＦ）のときは（５００円コインを振り分けるときは）回動フラッパ２０３ｂがコイン通路Ａから離隔しコイン通路Ａを開放する一方、回動アーム２１１ａがコイン通路Ａに向かって回転し保留突起２１１ｂの先端がコイン通路Ａを遮断する。これに対して、ソレノイドＳＣ３が励磁状態（ＯＮ）のときは（１０円及び５０円コインを振り分けるとき）、回動フラッパ２０３ｂがコイン通路Ａに向かって回転しコイン通路Ａを閉鎖する一方、回動アーム２１１ａがコイン通路Ａから離隔するよう回転し、保留突起２１１ｂによるコイン通路Ａの遮断を解除する。
【００２９】
また、このコイン通路Ａで回転軸２０３ａの近傍には、第２の５００円コイン一時保留部２１２がコイン通路Ａから出没自在に設置されている。この第２の５００円コイン一時保留部２１２はソレノイドＳＣ４が非励磁状態（ＯＦＦ）のときはコイン通路Ａから突出してコインの移動を規制し、一方、励磁状態（ＯＮ）のときは、コイン通路Ａから後退してコインがコイン通路Ａを移動できるようにしている。
【００３０】
第４振り分け部２０４は第２振り分け部２０２で振り分けられた１００円コインを振り分けるものである。この第４振り分け部２０４は回動式の回動フラッパ２０４ａを有し、この回動フラッパ２０４ａを前記第２の５００円コイン一時保留部２１２と同様にソレノイドＳＣ４で回動している。ここで、ソレノイドＳＣ４が励磁状態（ＯＮ）のときは、回動フラッパ２０４ａが金庫通路Ｂ（回動フラッパ２０４ａの裏側）を開放する位置に回動して１００円コインを金庫通路Ｂに導き、図示しない金庫に導入する。一方、非励磁状態（ＯＦＦ）のときは回動フラッパ２０４ａが金庫通路Ｂを閉鎖しており、１００円コインを回動フラッパ２０４ａの表面側に転動させ、下方に向かって落下させる。なお、１０円コインのコインチューブＣＴ１０や５０円のコインチューブＣＴ５０が満杯の時も前述を同様の操作により金庫通路Ｂに向かって１０円コイン及び５０円コインを案内する。
【００３１】
第５振り分け部２０５は、第３振り分け部２０３及び各一時保留部２１１，２１２を通って転動した５００円コインを、返却口（図示しない）に連通する返却通路Ｃとコイン収納部（金庫通路Ｂ及び５００円用のコインチューブＣＴ５００）に振り分けるものである。この第５振り分け部２０５は回動式の回動フラッパ２０５ａを有し、この回動フラッパ２０５ａをソレノイドＳＣ５で回動する。ここで、ソレノイドＳＣ５が非励磁状態（ＯＦＦ）のときは、５００円コインを後述する第８振り分け部２０８に導く。一方、励磁状態（ＯＮ）のときは、回動フラッパ２０５ａが第８振り分け部２０８側への通路を閉鎖するよう回転し、５００円コインを返却通路Ｃを通じて返却口に導く。
【００３２】
第６振り分け部２０６、第７振り分け部２０７及び第８振り分け部２０８は、ソレノイドＳＣ６により制御されるもので、このソレノイドＳＣ６に連結する連結板２０９に一体に形成されている。
【００３３】
まず、第６振り分け部２０６を説明する。第６振り分け部２０６は、第４振り分け部２０４で振り分けられた１００円コインを１００円用の第１のコインチューブ（以下、第１チューブという）ＣＴ１００ー１と後述する第２の１００円コイン保留部（以下、第２保留部という）２１４に振り分けるもので、二股に分岐した前後のガイド２０６ａ，２０６ｂをソレノイドＳＣ６でコイン通路Ａから出没させている。また、この前側のガイド２０６ａの上端近傍には１００円コインを保留する保留ピン２１３ａを設けている。この保留ピン２１３ａは、ソレノイドＳＣ４にて、コイン通路Ａに出没するよう形成されている。
【００３４】
ここで、各ソレノイドＳＣ４，ＳＣ６が非励磁（ＯＦＦ）のときは、図５の(a)に示すように、保留ピン２１３ａがコイン通路Ａに突出し、１００円コインを第６振り分け部２０６に保留する。また、この１００円コインの保留状態で、ソレノイドＳＣ４が励磁（ＯＮ）し、かつ、ソレノイドＳＣ６が非励磁となっているときは、図５の(b)に示すように保留ピン２１３ａがコイン通路Ａから後退し、保留１００円コインが後方のガイド２０６ｂを転動して第１チューブＣＴ１００−１に落下・収納される。更に、同じく１００円コインの保留状態で、ソレノイドＳＣ６が励磁し、かつ、ソレノイドＳＣ４が非励磁となっているときは、図５の(c)に示すように、連結板２０９がソレノイドＳＣ６により後方に引かれ、保留１００円コインが前方のガイド２０６ａを転動して第２保留部２１４に向かって落下する。
【００３５】
このように第６振り分け部２０６及び保留ピン２１３ａは投入された１００円コインを保留する保留部２１３（以下、第１保留部２１３という）として機能するとともに、この保留された１００円コインを、第１チューブＣＴ１００−１又は第２保留部２１４に振り分ける機能を有している。
【００３６】
第７振り分け部２０７は、第３振り分け部２０３で振り分けられた１０円・５０円を１０円用のコインチューブＣＴ１０と５０円用のコインチューブＣＴ５０に振り分けるものである。この第７振り分け部２０７は二股に分岐した前後のガイド２０７ａ，２０７ｂをソレノイドＳＣ６でコイン通路Ａから出没させている。このソレノイドＳＣ６が非励磁（ＯＦＦ）のときは、１０円コインを後方のガイド２０７ｂに落下させてコインチューブＣＴ１０に落下・に収納する。一方、励磁状態（ＯＮ）のときは、連結板２０９を後方に引き、これにより、５０円コインを前方のガイド２０７ａに落下させてコインチューブＣＴ５０に落下・収納する。
【００３７】
第８振り分け部２０８は、５００円コインを金庫通路Ｂ又はコインチューブＣＴ５００に振り分けるもので、図３に示すように先端に向かって平行に延びる二股の案内隔壁を有する。ここで、ソレノイドＳＣ６が非励磁（ＯＦＦ）のときは、５００円コインをコインチューブＣＴ５００に導く一方、励磁状態（ＯＮ）のときは、５００円コインを後方の金庫通路Ｂに導く。
【００３８】
以上のように本実施形態に係るコイン処理装置において、１００円コインが投入されたときは、図２に示すように、第１振り分け部２０１、第２振り分け部２０２、第４振り分け部２０４及び第１保留部２１３を通じて第１チューブＣＴ１００−１又は第２保留部２１４に振り分けられる。
【００３９】
この第２保留部２１４の構造を図６を参照して説明する。第２保留部２１４は第１保留部２１３の下流側に設置されたもので、上端及び下端がコイン通路Ａ内に交互に出没するよう、シーソの如く軸支された保留レバー２１４ａを有している。この保留レバー２１４ａはその上端側がソレノイドＳＣ７に連結アーム２１４ｂを介して連結しており、ソレノイドＳＣ７が非励磁（ＯＦＦ）のときは、図６の(a)(c)に示すように、保留レバー２１４ａの下端がコイン通路Ａ内に突出して１００円コインの落下を規制し、１００円コインをコイン通路Ａ内に保留する。一方、ソレノイドＳＣ７が励磁（ＯＮ）するときは、図６の(b)に示すように、保留レバー２１４ａの下端がコイン通路Ａから離脱して最下位の１００円コインの落下規制を解除する一方、上端がコイン通路Ａに突出して、最下位から２番目の１００円コイン（１００円コインが複数枚投入されたとき）をコイン通路Ａ内に保留する。
【００４０】
また、この第２保留部２１４は振り分け部２１５を有し、この振り分け部２１５により、コイン通路Ａ内に保留された１００円コインを、返却通路、第２の１００円コインチューブ（以下、第２チューブという）ＣＴ１００−２、或いは、金庫に振り分ける。この振り分け部２１５は上下に上部フラッパ２１６と下部フラッパ２１７とを有し、各フラッパ２１６，２１７はそれぞれ下端を軸支するとともに、各ソレノイドＳＣ８，ＳＣ９に連結アーム２１６ａ，２１７ａを介して連結し、各ソレノイドＳＣ８，ＳＣ９の励磁・非励磁により各フラッパ２１６，２１７を回動する。
【００４１】
ここで、ソレノイドＳＣ８が励磁（ＯＮ）し、かつ、ソレノイドＳＣ９が非励磁（ＯＦＦ）となっているときは、図６に示すように、各フラッパ２１６，２１７が時計方向に回転しており、これにより、コイン通路Ａが返却通路に連通した状態となる。また、各ソレノイドＳＣ８，ＳＣ９の両者が励磁（ＯＮ）しているときは、図７に示すように、フラッパ２１６が時計方向に回転する一方、フラッパ２１７が反時計方向に回転しており、これにより、コイン通路Ａが第２チューブＣＴ１００−２に連通した状態となっている。更に、ソレノイドＳＣ８が非励磁（ＯＦＦ）で、かつ、ソレノイドＳＣ９が励磁（ＯＮ）してるときは、図８に示すように、各フラッパ２１６，２１７が反時計方向に回転しており、これにより、コイン通路Ａが金庫に連通した状態となる。
【００４２】
本実施形態に係るコイン処理装置の機械的構造は、以上説明したとおりとなっているが、本実施形態に係るコイン処理装置の特徴とするところは、１００円コインの処理制御、即ち、投入された１００円コインが第１保留部２１３と第２保留部２１４で一時保留されること、更には、この保留１００円コインが第１保留部２１３及び第２保留部２１４により、第１チューブＣＴ１００−１、第２チューブＣＴ１００−２、返却通路又は金庫に適宜振り分けられることにある。
【００４３】
この本実施形態に係る特徴的構成を図９のブロック図及び図１０乃至図１３のフローチャートを参照して説明する。まず、コイン処理装置の１００コイン制御に係る駆動制御回路を図９を参照して説明する。コイン処理装置の制御手段としてマイクロコンピュータ（マイコン）４０を有し、このマイコン４０にタイマ４０ａ及びコインのカウンタ４０ｂ等のソフトが組み込まれている。ここで、タイマ４０ａには各ソレノイドＳＣ１，ＳＣ２，ＳＣ４，ＳＣ６，ＳＣ７，ＳＣ８，ＳＣ９がオンしたときの励磁時間が設定され、各ソレノイドＳＣ１，ＳＣ２，ＳＣ４，ＳＣ６，ＳＣ７，ＳＣ８，ＳＣ９がオンしたときは、その設定励磁時間に亘って励磁し、その後はオフする構成となっている。また、カウンタ４０ｂは１００円コインの投入枚数等を計数するようになっている。
【００４４】
また、マイコン４０には、コイン識別部１０の識別信号、商品を購入する際に押圧する商品選択ボタン４１からの商品購入信号、第１チューブＣＴ１００−１及び第２チューブＣＴ１００−２が収納規制レベルに達しているか否か、例えばコインが満杯となっているか否かを検出するオーバーフローセンサ４２，４３の検出信号、返却レバー４４からの返却信号が入力されている。また、これら検出信号、返却信号等に基づいてソレノイド駆動回路４５を介して各ソレノイドＳＣ１，ＳＣ２，ＳＣ４，ＳＣ６，ＳＣ７，ＳＣ８，ＳＣ９が、図１０乃至図１３のフローチャートに示すように駆動制御し、１００円コインの一時保留制御及び振り分け制御を行っている。
【００４５】
即ち、図１０に示すように、１００円コインが投入されたとき、これが偽貨であると判定したときは、既存返却処理モードに移行する（Ｓ１，Ｓ２）。なお、この既存返却処理モードとは、ソレノイドＳＣ１を非励磁状態にして、第１振り分け部２０１の回動フラッパ２０１ａを待機状態に保持することであり、これにより、図２の実線矢印に示すように、投入コインが回動フラッパ２０１ａの表側を通り、返却口に返却されることとなる。一方、１００円コインが正貨であるときは、この投入コイン数を計数する（Ｓ３）。この投入コインの計数により、投入１００円コインが４枚以上のときは、前述の返却処理モードに移行する（Ｓ４）。それ以外（投入コインが１枚、２枚、又は３枚）のときは、ソレノイドＳＣ１を所定時間励磁する（Ｓ５）。これにより、第１振り分け部２０１の回動フラッパ２０１ａが回動し、図２の破線に示すように、１００円コインが回動フラッパ２０１ａの裏側に導かれる。また、図４の(b)に示すように、ソレノイドＳＣ１の励磁とほぼ同時にソレノイドＳＣ２が所定時間励磁される（Ｓ６）。これにより、１００円コインが第２振り分け部２０２のガイド２０２ａに落下し、第４振り分け部２０４に向かって案内される。ここで、ソレノイドＳＣ４が非励磁状態となっているため、回動フラッパ２０４ａが金庫通路Ｂを閉鎖しており、これにより、１００円コインが回動フラッパ２０４ａの表面側に転動して、第１保留部２１３に導かれる。
【００４６】
ここで、１００円コインの投入枚数が１枚のときは、図５の(a)に示すように、投入コインが第１保留部２１３で保留され、一方、投入枚数が２枚又は３枚のときは、図５の(c)に示すように、それぞれソレノイドＳＣ６を所定時間励磁して、第２保留部２１４に投入コインを順次導くよう制御される（Ｓ７〜Ｓ１０）。即ち、投入コインが１枚のときは第１保留部２１３に１枚が保留される。投入コインが２枚のときは第１保留部２１３に１枚が保留され、第２保留部２１４に他の１枚が保留される。投入コインが３枚のときは第１保留部２１３に１枚が保留され、第２保留部２１４に他の２枚が保留される。
【００４７】
以上のように、１００円コインが１枚投入されたときはコイン１枚処理モードで処理され（Ｓ１１）、１００円コインが２枚投入されたときはコイン２枚処理モードで処理され（Ｓ１２）、更に、１００円コインが３枚投入されたときはコイン３枚処理モードで処理される（Ｓ１３）。
【００４８】
まず、ステップＳ１１のコイン１枚処理モードについて図１１を参照して説明する。即ち、第１保留部２１３に１００円コインが１枚保留されている状態で、商品選択ボタン４１を通じて購入指令があるか否か（Ｓ１１−１）、返却レバー４４を通じて返却指令があったかを判定する（Ｓ１１−２）。
【００４９】
ここで、返却レバー４４を通じて返却指令が入力されているときは、図５の(c)に示すように、ソレノイドＳＣ６を所定時間励磁する（Ｓ１１−３）。これにより、第６振り分け部２０６のガイド２０６ａを通じて保留１００円コインが、図６の(ｃ)に示すように、第２保留部２１４に保留される。そして、ソレノイドＳＣ８を所定時間励磁し（Ｓ１１−４）、これにより、上部フラッパ２１６が時計回りに回転し、図６の(ｃ)に示すように、返却通路側を開放する。この状態でソレノイドＳＣ７が励磁操作を所定時間行う（Ｓ１１−５）。これにより、第２保留部２１４の保留レバー２１４ａが図６の(c)(d)(a)に示すように往復回転し、保留コインが返却通路を通じて図示しない返却口に返却される。
【００５０】
一方、ステップＳ１１−１で商品選択ボタン４１を通じて購入指令があったときは、第１チューブＣＴ１００−１が満杯か否かを判定する（Ｓ１１−６）。ここで、オーバーフローセンサ４２からの信号に基づき第１チューブＣＴ１００−１が未だ満杯となっていないときは、図５の(b)に示すように、ソレノイドＳＣ４を励磁する（Ｓ１１−７）。これにより、１００円コインが第６振り分け部２０６のガイド２０６ｂを通じて第１チューブＣＴ１００−１に収納される。
【００５１】
また、第１チューブＣＴ１００−１が満杯となっているときは、図５の(c)に示すように、ソレノイドＳＣ６を励磁する（Ｓ１１−８）。これにより、第６振り分け部２０６のガイド２０６ａを通じて１００円コインが、図６乃至図８の(a)に示すように、第２保留部２１４に保留される。
【００５２】
この第２保留部２１４に１００円コインが保留されている状態で、オーバーフローセンサ４３からの信号に基づき第２チューブＣＴ１００−２が満杯か否かが判定される（Ｓ１１−９）。ここで、第２チューブＣＴ１００−２が未だ満杯となっていないときは、ソレノイドＳＣ８とソレノイドＳＣ９を励磁する（Ｓ１１−１０）。これにより、図７の(a)に示すように、第２チューブＣＴ１００−２側が開放される。この状態でソレノイドＳＣ７を所定時間励磁する（Ｓ１１−１１）。これにより、図７の(b)に示すように、１００円コインが第２チューブＣＴ１００−２に収納される。
【００５３】
また、ステップＳ１１−９で、第２チューブＣＴ１００−２が満杯となっているときは、ソレノイドＳＣ９を励磁する（Ｓ１１−１２）。これにより、図８の(a)に示すように、金庫側が開放される。この状態でソレノイドＳＣ７を所定時間励磁する（Ｓ１１−１３）。これにより、図８の(b)に示すように、１００円コインが金庫側に導かれ、金庫に収納される。
【００５４】
次に、ステップＳ１２のコイン２枚処理モードについて図１２を参照して説明する。即ち、第１保留部２１３に１００円コインが１枚保留され、また、第２保留部２１４に１００円コインが１枚保留されている状態で、商品選択ボタン４１を通じて購入指令があるか否か（Ｓ１２−１）、返却レバー４４を通じて返却指令があったかを判定する（Ｓ１２−２）。
【００５５】
ここで、返却レバー４４を通じて返却指令が入力されているときは、図５の(c)に示すように、ソレノイドＳＣ６を所定時間励磁する（Ｓ１２−３）。これにより、第６振り分け部２０６のガイド２０６ａを通じて保留１００円コインが、図６の(a)に示すように、先に保留されているコインの上に積み重なるようにして第２保留部２１４に保留される。そして、ソレノイドＳＣ８を所定時間励磁し（Ｓ１２−４）、これにより、上部フラッパ２１６が時計回りに回転し、図６の(a)に示すように、返却通路側を開放する。この状態でソレノイドＳＣ７が第１回目の励磁を所定時間行う（Ｓ１２−５）。これにより、第２保留部２１４の保留レバー２１４ａが図６の(a)(b)(c)に示すように往復回転し、最下位の１００円コインが返却通路を通じて図示しない返却口に返却される。続いて、ソレノイドＳＣ７が第２回目の励磁を所定時間行い（Ｓ１２−６）、図６の(c)(d)(a)に示すように更に往復回転することにより、２番目の保留コインも返却通路を通じて返却口に返却されることとなる。
【００５６】
一方、ステップＳ１２−１で商品選択ボタン４１を通じて購入指令があったときは、第１チューブＣＴ１００−１が満杯か否かを判定する（Ｓ１２−７）。ここで、オーバーフローセンサ４２からの信号に基づき第１チューブＣＴ１００−１が未だ満杯となっていないときは、図５の(b)に示すように、ソレノイドＳＣ４を励磁する（Ｓ１２−８）。これにより、第１保留部２１３に保留されている１００円コインが第６振り分け部２０６のガイド２０６ｂを通じて第１チューブＣＴ１００−１に収納される。また、第２保留部２１４に保留されている１００円コインについては、まず、第２チューブＣＴ１００−２が満杯か否かが判定され（Ｓ１２−９）、未だ満杯となっていないときは、ソレノイドＳＣ８，ＳＣ９を励磁して第２チューブＣＴ１００−２側を開放し（Ｓ１２−１０）、ソレノイドＳＣ７を所定時間励磁する（Ｓ１２−１１）。これにより、第２保留部２１４に保留されている１００円コインが第２チューブＣＴ１００−２に収納される（図７参照）。また、ステップ１２−９で第２チューブＣＴ１００−２が満杯であると判定したときは、ソレノイドＳＣ９を励磁した後、ソレノイドＳＣ７を所定時間励磁する（Ｓ１２−１２，Ｓ１２−１３）。これにより、第２保留部２１４に保留されている１００円コインが金庫に導かれる（図８参照）。
【００５７】
前記ステップＳ１２−７で第１チューブＣＴ１００−１が満杯のときは、ソレノイドＳＣ６を励磁する（Ｓ１２−１４）。これにより、第１保留部２１３に保留されている１００円コインが第２保留部２１４に導かれ、第２保留部２１４に２枚の１００円コインが保留された状態となる。ここで、第２チューブＣＴ１００−２が満杯か否かが判定され（Ｓ１２−１５）、未だ満杯となっていないときは、ソレノイドＳＣ８，ＳＣ９を励磁して第２チューブＣＴ１００−２側を開放し（Ｓ１２−１６）、ソレノイドＳＣ７を２回に亘って所定時間励磁する（Ｓ１２−１７，Ｓ１２−１８）。これにより、第２保留部２１４に保留された２枚の１００円コインが１枚ずつ第２チューブＣＴ１００−２に順次収納される。一方、ステップＳ１２−１５で第２チューブＣＴ１００−２が満杯であると判定するときは、ソレノイドＳＣ９のみを励磁して金庫側を開放し、ソレノイドＳＣ７を２回に亘って所定時間励磁する（Ｓ１２−１９，Ｓ１２−２０，Ｓ１２−２１）。これにより、第２保留部２１４に保留された２枚の１００円コインが１枚ずつ第２チューブＣＴ１００−２に順次収納される。
【００５８】
続いて、コイン３枚処理モードについて図１３を参照して説明する。即ち、第１保留部２１３に１００円コインが１枚保留され、また、第２保留部２１４に１００円コインが２枚保留されている状態で、商品選択ボタン４１を通じて購入指令があるか否か（Ｓ１３−１）、返却レバー４４を通じて返却指令があったかを判定する（Ｓ１３−２）。ここで、返却レバー４４を通じて返却指令が入力されているときは、ソレノイドＳＣ８を励磁して返却通路側を開放し、更にソレノイドＳＣ７を所定時間励磁する（Ｓ１３−３，Ｓ１３−４）。これにより、第２保留部２１４の最下位の保留コインが返却通路に導かれる。しかる後、ソレノイドＳＣ６を励磁して第１保留部２１３に保留されているコインを第２保留部２１４に導く（Ｓ１３−５）。その後、ソレノイドＳＣ７を２回に亘って所定時間励磁する（Ｓ１３−６，Ｓ１３−７）。これにより、第２保留部２１４に保留された２枚の１００円コインが１枚ずつ返却通路に順次導かれる。
【００５９】
一方、ステップＳ１３−１で商品選択ボタン４１を通じて購入指令があったときは、第１チューブＣＴ１００−１が満杯か否かを判定する（Ｓ１３−８）。ここで、第１チューブＣＴ１００−１が未だ満杯となっていないときは、図５の(b)に示すように、ソレノイドＳＣ４を励磁する（Ｓ１３−９）。これにより、第１保留部２１３に保留されている１００円コインが第１チューブＣＴ１００−１に収納される。また、第２保留部２１４に保留されている１００円コインについては、まず、第２チューブＣＴ１００−２が満杯か否かが判定され（Ｓ１３−１０）、未だ満杯となっていないときは、ソレノイドＳＣ８，ＳＣ９を励磁して第２チューブＣＴ１００−２側を開放し（Ｓ１３−１１）、ソレノイドＳＣ７を２回に亘って所定時間励磁する（Ｓ１３−１２，Ｓ１３−１３）。これにより、第２保留部２１４に保留された２枚の１００円コインが第２チューブＣＴ１００−２に収納される。また、ステップ１３−１０で第２チューブＣＴ１００−２が満杯であると判定したときは、ソレノイドＳＣ９を励磁した後、ソレノイドＳＣ７を２回に亘って所定時間励磁する（Ｓ１３−１４，Ｓ１３−１５，Ｓ１３−６）。これにより、第２保留部２１４に保留されている２枚の１００円コインが金庫に導かれる。
【００６０】
前記ステップＳ１３−８で第１チューブＣＴ１００−１が満杯のときは、第２チューブＣＴ１００−２が満杯か否かが判定される（Ｓ１３−１７）。ここで、第２チューブＣＴ１００−２が未だ満杯となっていないときは、ソレノイドＳＣ８，ＳＣ９を励磁して第２チューブＣＴ１００−２側を開放し（Ｓ１３−１８）、ソレノイドＳＣ７を所定時間励磁する（Ｓ１３−１９）。これにより、第２保留部２１４の最下位の１００円コインが第２チューブＣＴ１００−２に収納される。続いてソレノイドＳＣ６を励磁する（Ｓ１３−２０）。これにより、第１保留部２１３に保留されている１００円コインが第２保留部２１４に導かれ、第２保留部２１４に２枚の１００円コインが保留された状態となる。このように第１保留部２１３のコインが第２保留部２１４に収納されたときは、ソレノイドＳＣ７を２回に亘って所定時間励磁する（Ｓ１３−２１，Ｓ１３−２２）。これにより、第２保留部２１４に保留された２枚の１００円コインが１枚ずつ第２チューブＣＴ１００−２に順次収納される。更に、前記ステップ１３−１７で第２チューブＣＴ１００−２が満杯であると判定したときは、ソレノイドＳＣ９を励磁して金庫側を開放し（Ｓ１３−２３）、ソレノイドＳＣ７を所定時間励磁する（Ｓ１３−２４）。これにより、第２保留部２１４の最下位の１００円コインが金庫に導かれる。続いてソレノイドＳＣ６を励磁する（Ｓ１３−２５）。これにより、第１保留部２１３に保留されている１００円コインが第２保留部２１４に導かれ、第２保留部２１４に２枚の１００円コインが保留された状態となる。このように第１保留部２１３のコインが第２保留部２１４に収納されたときは、ソレノイドＳＣ７を２回に亘って所定時間励磁する（Ｓ１３−２６，Ｓ１３−２７）。これにより、第２保留部２１４に保留された２枚の１００円コインが１枚ずつ第２チューブＣＴ１００−２に順次収納される。
【００６１】
本実施形態によれば、第１保留部２１３及び第２保留部２１４により投入された１００円コインが保留され、返却指令があったときは、この投入コインを返却口に戻すことができるため、１００円偽造・変造コインによる犯罪両替行為を防止できる。
【００６２】
また、各保留部２１３，２１４で保留された１００円コインは、第１チューブＣＴ１００−１に優先的に保留され、第１チューブＣＴ１００−１が満杯となったとき第２チューブＣＴ１００−２に収納する。このように、投入された１００円コインを、できるだけ多く各チューブＣＴ１００−１，ＣＴ１００−２に収納するようにしているため、釣り銭用の１００円コインを多数枚用意することができる。
【００６３】
更に、取り扱いコイン中で、１番高額な５００円コインと２番目に高額な１００円コインの両者を一時保留でき、犯罪両替行為の抑止効果が更に向上する。
【００６４】
図１４乃至図１６は本発明に係るコイン処理装置の第２実施形態を示すものである。前記第１実施形態では投入された１００円コインの収納順位を、第１チューブＣＴ１００−１を優先順位とし、第２チューブＣＴ１００−２の順位をその後としてる。この第２実施形態では、この収納順位とは逆に、第２チューブＣＴ１００−２を優先順位とし、第１チューブＣＴ１００−１の順位をその後としたものである。なお、前記第１実施形態と共通する構成については同一符号を用い、その説明を省略するとともに、前記第１実施形態と同一の処理制御である図１０の処理制御はこれまたその説明を省略する。
【００６５】
即ち、第２実施形態に係る１００円コイン処理制御は、コイン１枚処理モード、コイン２枚処理モード、及び、コイン３枚処理モードの制御において、前記第１実施形態と相違する。
【００６６】
まず、第２実施形態に係るコイン１枚処理モードを図１４を参照して説明する。コイン１枚処理モードで、商品選択ボタン４１を通じて購入指令があるか否か（Ｓ１４−１）、返却レバー４４を通じて返却指令があったかを判定する（Ｓ１４−２）。
【００６７】
ここで、返却レバー４４を通じて返却指令が入力されているときは、図５の(c)に示すように、ソレノイドＳＣ６を所定時間励磁する（Ｓ１４−３）。これにより、第１保留部２１３の保留１００円コインが第２保留部２１４に導かれる。しかる後、ソレノイドＳＣ８を所定時間励磁し（Ｓ１４−４）、これにより、上部フラッパ２１６が時計回りに回転し、図６の(ｃ)に示すように、返却通路側を開放する。この状態でソレノイドＳＣ７が励磁操作を所定時間行う（Ｓ１４−５）。これにより、第２保留部２１４の保留レバー２１４ａが図６の(c)(d)(a)に示すように往復回転し、保留コインが返却通路を通じて図示しない返却口に返却される。
【００６８】
一方、ステップＳ１４−１で商品選択ボタン４１を通じて購入指令があったときは、まず、第２チューブＣＴ１００−２が満杯か否かを判定する（Ｓ１４−６）。未だ満杯でないときはソレノイドＳＣ６を励磁する（Ｓ１４−７）。これにより、第１保留部２１３の保留コインが第２保留部２１４に導かれる。しかる後、ソレノイドＳＣ８とソレノイドＳＣ９を励磁する（Ｓ１４−８）。これにより、図７の(a)に示すように、第２チューブＣＴ１００−２側が開放される。この状態でソレノイドＳＣ７を所定時間励磁する（Ｓ１４−９）。これにより、図７の(b)に示すように、１００円コインが第２チューブＣＴ１００−２に収納される。
【００６９】
前記ステップ１４−６で第２チューブＣＴ１００−２が満杯のときは、第１チューブＣＴ１００−１が満杯か否かを判定し、第１チューブＣＴ１００−１が未だ満杯となっていないときは、ソレノイドＳＣ４を励磁する（Ｓ１４−１０，Ｓ１４−１１）。これにより、第１保留部２１３の保留コインが第１チューブＣＴ１００−１に収納される。このステップＳ１４−１０で第１チューブＣＴ１００−１が満杯であると判定したときは、ソレノイドＳＣ６を励磁して第１保留部２１３の保留コインを第２保留部に導く一方、ソレノイドＳＣ９を励磁して金庫側を開放し、しかる後、ソレノイドＳＣ７を所定時間励磁して、この保留コインを金庫に導く（Ｓ１４−１２〜Ｓ１４−１４）。
【００７０】
次に、ステップＳ１５のコイン２枚処理モードについて図１５を参照して説明する。即ち、第１保留部２１３に１００円コインが１枚保留され、また、第２保留部２１４に１００円コインが１枚保留されている状態で、商品選択ボタン４１を通じて購入指令があるか否か（Ｓ１５−１）、返却レバー４４を通じて返却指令があったかを判定する（Ｓ１５−２）。
【００７１】
ここで、返却レバー４４を通じて返却指令が入力されているときは、ソレノイドＳＣ６を所定時間励磁する（Ｓ１５−３）。これにより、第１保留部２１３に保留されているコインが第２保留部２１４に導かれ、この第２保留部２１４に２枚の１００円コインが保留されることとなる。しかる後、ソレノイドＳＣ８を所定時間励磁し（Ｓ１５−４）、これにより、図６の(a)に示すように、返却通路側を開放する。この状態でソレノイドＳＣ７を２回に亘って所定時間励磁する（Ｓ１５−５，Ｓ１５−６）。これにより、第２保留部２１４に保留された２枚のコインが返却通路に順次導かれる。
【００７２】
一方、ステップＳ１５−１で商品選択ボタン４１を通じて購入指令があったときは、まず、第２チューブＣＴ１００−２が満杯か否かを判定する（Ｓ１４−７）。未だ満杯でないときはソレノイドＳＣ６を励磁する（Ｓ１５−８）。これにより、第１保留部２１３の保留コインが第２保留部２１４に導かれ、第２保留部２１４に２枚のコインが保留されることとなる。しかる後、ソレノイドＳＣ８とソレノイドＳＣ９を励磁し、第２チューブＣＴ１００−２側を開放し、しかる後、ソレノイドＳＣ７を２回に亘って所定時間励磁する（Ｓ１５−９〜Ｓ１５−１１）。第２保留部２１４の２枚のコインが第２チューブＣＴ１００−２に収納される。
【００７３】
前記ステップ１５−７で第２チューブＣＴ１００−２が満杯のときは、第１チューブＣＴ１００−１が満杯か否かを判定し、第１チューブＣＴ１００−１が未だ満杯となっていないときは、ソレノイドＳＣ４を励磁する（Ｓ１５−１２，Ｓ１５−１３）。これにより、第１保留部２１３の保留コインが第１チューブＣＴ１００−１に収納される。一方、ソレノイド９を励磁して金庫側を開放し、ソレノイドＳＣ７を励磁して第２保留部２１４の保留コインを金庫に導く（Ｓ１５−１４，Ｓ１５−１５）。
【００７４】
前記ステップＳ１５−１２で第１チューブＣＴ１００−１が満杯であると判定したときは、ソレノイドＳＣ６を励磁して第１保留部２１３の保留コインを第２保留部２１４に導く一方、ソレノイドＳＣ９を励磁して金庫側を開放し、しかる後、ソレノイドＳＣ７を２回に亘って所定時間励磁する（Ｓ１５−１６〜Ｓ１５−１９）。これにより、第２保留部２１４の保留コイン２枚を金庫に導く。
【００７５】
続いて、ステップＳ１７のコイン３枚処理モードについて図１６を参照して説明する。即ち、第１保留部２１３に１００円コインが１枚保留され、また、第２保留部２１４に１００円コインが２枚保留されている状態で、商品選択ボタン４１を通じて購入指令があるか否か（Ｓ１６−１）、返却レバー４４を通じて返却指令があったかを判定する（Ｓ１６−２）。
【００７６】
ここで、返却レバー４４を通じて返却指令が入力されているときは、ソレノイドＳＣ８を励磁して返却通路を開放し、ソレノイドＳＣ７を所定時間励磁する（Ｓ１６−３，Ｓ１６−４）。これにより、第２保留部２１４の最下位のコインを返却通路を通じて返却口に返却する。しかる後、ソレノイドＳＣ６を所定時間励磁する（Ｓ１６−５）。これにより、第１保留部２１３に保留されているコインが第２保留部２１４に導かれ、この第２保留部２１４に２枚の１００円コインが保留されることとなる。しかる後、ソレノイドＳＣ７を２回に亘って所定時間励磁する（Ｓ１６−６，Ｓ１６−７）。これにより、第２保留部２１４に保留された２枚のコインが返却通路に順次導かれる。
【００７７】
一方、ステップＳ１６−１で商品選択ボタン４１を通じて購入指令があったときは、まず、第２チューブＣＴ１００−２が満杯か否かを判定する（Ｓ１６−８）。未だ満杯でないときはソレノイドＳＣ８とソレノイドＳＣ９を励磁し、第２チューブＣＴ１００−２側を開放し、しかる後、ソレノイドＳＣ７を所定時間励磁し、第２保留部２１４の最下位の保留コインを第２チューブＣＴ１００−２に収納する（Ｓ１６−９，Ｓ１６−１０）。しかる後、ソレノイドＳＣ６を励磁する（Ｓ１６−１１）。これにより、第１保留部２１３の保留コインが第２保留部２１４に導かれ、第２保留部２１４に２枚のコインが保留されることとなる。しかる後、ソレノイドＳＣ７を２回に亘って所定時間励磁する（Ｓ１６−１２，Ｓ１６−１３）。これにより、第２保留部２１４の２枚のコインが第２チューブＣＴ１００−２に順次収納される。
【００７８】
前記ステップ１６−８で第２チューブＣＴ１００−２が満杯のときは、第１チューブＣＴ１００−１が満杯か否かを判定し、第１チューブＣＴ１００−１が未だ満杯となっていないときは、ソレノイドＳＣ４を励磁する（Ｓ１６−１４，Ｓ１６−１５）。これにより、第１保留部２１３の保留コインが第１チューブＣＴ１００−１に収納される。一方、ソレノイド９を励磁して金庫側を開放し、ソレノイドＳＣ７を２回に亘って励磁して第２保留部２１４の保留コインを金庫に導く（Ｓ１６−１６〜Ｓ１６−１８）。
【００７９】
前記ステップＳ１６−１４で第１チューブＣＴ１００−１が満杯であると判定したときは、ソレノイドＳＣ９を励磁して金庫側を開放し、その後、ソレノイドＳＣ７を所定時間励磁する（Ｓ１６−１９，Ｓ１６−２０）。これにより、して第２保留部２１４の最下位のコインが金庫に導かれる。その後、ソレノイドＳＣ６を励磁して第１保留部２１３の保留コインを第２保留部に導く一方、ソレノイドＳＣ７を２回に亘って所定時間励磁する（Ｓ１６−２１〜Ｓ１５−２３）。これにより、第２保留部２１４の保留コイン２枚が金庫に導かれる。
【００８０】
図１７乃至図２２は本発明に係るコイン処理装置の第３実施形態を示すもので、図１７の(a)(b)(c)(d)は返却指令時における第２保留部の動作を示す断面図、図１８の(a)(b)は金庫収納時における第２保留部の動作を示す断面図、図１９はコイン処理装置の駆動制御回路を示すブロック図、図２０はコイン１枚処理モードを示すフローチャート、図２１はコイン２枚処理モードを示すフローチャート、図２２はコイン３枚処理モードを示すフローチャートである。なお、前記第１実施形態と同一構成部分については同一符号を用いるとともに、その説明を省略する。
【００８１】
前記第１実施形態に係るコイン処理装置と第３実施形態に係るコイン処理装置との相違点は、第２保留部に保留されたコインを第２チューブＣＴ１００−２に導くことなく、返却通路及び金庫側に導く構造となっている点にある。
【００８２】
この第２保留部２１８を構造を図１７を参照して説明する。第２保留部２１８は前記第１実施形態の第２保留部と同様に上端及び下端がコイン通路Ａ内に交互に出没するようシーソの如く軸支されたレバー２１８ａを有している。このレバー２１８ａはその上端側がソレノイドＳＣ１０に連結アーム２１８ｂを介して連結しており、ソレノイドＳＣ１０が非励磁（ＯＦＦ）のときは、図１７の(a)(c)に示すように、レバー２１８ａの下端がコイン通路Ａ内に突出して１００円コインの落下を規制し、１００円コインをコイン通路Ａ内に保留する。一方、ソレノイドＳＣ１０が励磁（ＯＮ）するときは、図１７の(b)に示すように、レバー２１８ａの下端がコイン通路Ａから離脱して最下位の１００円コインの落下規制を解除する一方、上端がコイン通路Ａに突出して、最下位から２番目の１００円コイン（１００円コインが複数枚投入されたとき）をコイン通路Ａ内に保留する。
【００８３】
また、この第２保留部２１８は振り分け部２１９を有し、この振り分け部２１９により、コイン通路Ａ内に保留された１００円コインを、返却通路又は金庫に振り分ける。この振り分け部２１９は下端が軸支されたフラッパ２２０を有し、該フラッパ２２０が連結アーム２２０ａを介してソレノイドＳＣ１１に連結している。
【００８４】
ここで、ソレノイドＳＣ１１が励磁（ＯＮ）しているときは、図１７に示すように、フラッパ２２０が時計回りに回転しており、これにより、コイン通路Ａが返却通路に連通した状態となる。また、ソレノイドＳＣ１１が非励磁（ＯＦＦ）となっているときは、図１８に示すように、フラッパ２２０ａが反時計回りに回転しており、これにより、コイン通路Ａが金庫に連通した状態となる。
【００８５】
第３実施形態に係る特徴的構成を図１９のブロック図及び各フローチャートを参照して説明する。まず、コイン処理装置の１００コイン制御に係る駆動制御回路を図１９を参照して説明する。コイン処理装置の制御手段は前記第１実施形態と同様の構成である、コイン識別部１０、マイコン４０、タイマ４０ａ、カウンタ４０ｂ、商品選択ボタン４１、第１チューブオーバーフローセンサ４２、返却レバー４４、ソレノイド駆動回路４５、ソレノイドＳＣ１，ＳＣ２，ＳＣ４，ＳＣ６を有している。この第３実施形態では、この各構成に加えてソレノイドＳＣ１０，ＳＣ１１をマイコン４０により制御するようになっている。
【００８６】
これら各ソレノイドＳＣ１，ＳＣ２，ＳＣ４，ＳＣ６，ＳＣ１０，ＳＣ１１の駆動制御を図２０〜図２２のフローチャートに基づき説明する。なお、前記第１実施形態と同一の処理制御である図１０の処理制御はその説明を省略する。
【００８７】
即ち、第３実施形態に係る１００円コイン処理制御は、コイン１枚処理モード、コイン２枚処理モード、及び、コイン３枚処理モードの制御において、前記第１実施形態と相違する。
【００８８】
まず、第３実施形態に係るコイン１枚処理モードを図２０を参照して説明する。コイン１枚処理モードで、商品選択ボタン４１を通じて購入指令があるか否か（Ｓ１７−１）、返却レバー４４を通じて返却指令があったかを判定する（Ｓ１７−２）。
【００８９】
ここで、返却レバー４４を通じて返却指令が入力されているときは、図５の(c)に示すように、ソレノイドＳＣ６を所定時間励磁する（Ｓ１７−３）。これにより、第１保留部２１３の保留１００円コインが第２保留部２１４に導かれる。しかる後、ソレノイドＳＣ１１を所定時間励磁し（Ｓ１７−４）、これにより、上部フラッパ２１６が時計回りに回転し、図１７の(ｃ)に示すように、返却通路側を開放する。この状態でソレノイドＳＣ７が励磁操作を所定時間行う（Ｓ１７−５）。これにより、第２保留部２１４の保留レバー２１４ａが図１７の(c)(d)(a)に示すように往復回転し、保留コインが返却通路を通じて図示しない返却口に返却される。
【００９０】
一方、ステップＳ１７−１で商品選択ボタン４１を通じて購入指令があったときは、第１チューブＣＴ１００−１が満杯か否かを判定する（Ｓ１７−６）。ここで、オーバーフローセンサ４２からの信号に基づき第１チューブＣＴ１００−１が未だ満杯となっていないときは、ソレノイドＳＣ４を励磁し、第１保留部２１３の保留コインを第１チューブＣＴ１００−１に収納する（Ｓ１７−７）。
【００９１】
また、第１チューブＣＴ１００−１が満杯となっているときは、ソレノイドＳＣ６を励磁する（Ｓ１７−８）。これにより、第６振り分け部２０６のガイド２０６ａを通じて第２保留部２１４に保留される。しかる後、ソレノイドＳＣ１０を励磁し、この保留コインを金庫に導く（Ｓ１７−９）。
【００９２】
次に、ステップＳ１８のコイン２枚処理モードについて図２１を参照して説明する。即ち、第１保留部２１３に１００円コインが１枚保留され、また、第２保留部２１４に１００円コインが１枚保留されている状態で、商品選択ボタン４１を通じて購入指令があるか否か（Ｓ１８−１）、返却レバー４４を通じて返却指令があったかを判定する（Ｓ１８−２）。
【００９３】
ここで、返却レバー４４を通じて返却指令が入力されているときは、図５の(c)に示すように、ソレノイドＳＣ６を所定時間励磁する（Ｓ１８−３）。これにより、第１保留部２１３の保留コインが、第２保留部２１３に保留されているコインの上に積み重なるようにして保留される。そして、ソレノイドＳＣ１１を所定時間励磁し（Ｓ１８−４）、返却通路側を開放する。この状態でソレノイドＳＣ１０を２回に亘って励磁する（Ｓ１８−５，Ｓ１８−６）。これにより、第２保留部２１４に保留されている２枚の１００円コインが、図１７に示すように、返却通路を通じて図示しない返却口に返却される。
【００９４】
一方、ステップＳ１８−１で商品選択ボタン４１を通じて購入指令があったときは、第１チューブＣＴ１００−１が満杯か否かを判定する（Ｓ１８−７）。ここで、オーバーフローセンサ４２からの信号に基づき第１チューブＣＴ１００−１が未だ満杯となっていないときは、図５の(b)に示すように、ソレノイドＳＣ４を励磁する（Ｓ１８−８）。これにより、第１保留部２１３に保留されている１００円コインが第１チューブＣＴ１００−１に収納される。また、第２保留部２１４に保留されている１００円コインについては、図１８に示すように、ソレノイドＳＣ１０を所定時間励磁して金庫側に導く（Ｓ１８−９）。
【００９５】
前記ステップＳ１８−７で第１チューブＣＴ１００−１が満杯のときは、ソレノイドＳＣ６を励磁する（Ｓ１８−１０）。これにより、第１保留部２１３に保留されている１００円コインが第２保留部２１４に導かれ、第２保留部２１４に２枚の１００円コインが保留された状態となる。しかる後、ソレノイドＳＣ１０を２回に亘って所定時間励磁する（Ｓ１８−１１，Ｓ１８−１２）。これにより、第２保留部２１４に保留された２枚の１００円コインが１枚ずつ金庫に導かれる。
【００９６】
続いて、コイン３枚処理モードについて図２１を参照して説明する。即ち、第１保留部２１３に１００円コインが１枚保留され、また、第２保留部２１４に１００円コインが２枚保留されている状態で、商品選択ボタン４１を通じて購入指令があるか否か（Ｓ１９−１）、返却レバー４４を通じて返却指令があったかを判定する（Ｓ１９−２）。ここで、返却レバー４４を通じて返却指令が入力されているときは、ソレノイドＳＣ１１を励磁して返却通路側を開放し、更にソレノイドＳＣ１０を所定時間励磁する（Ｓ１９−３，Ｓ１９−４）。これにより、第２保留部２１４の最下位の保留コインが返却通路に導かれる。しかる後、ソレノイドＳＣ６を励磁して第１保留部２１３に保留されているコインを第２保留部２１４に導く（Ｓ１９−５）。その後、ソレノイドＳＣ１０を２回に亘って所定時間励磁する（Ｓ１９−６，Ｓ１９−７）。これにより、第２保留部２１４に保留された２枚の１００円コインが１枚ずつ返却通路に順次導かれる。
【００９７】
一方、ステップＳ１９−１で商品選択ボタン４１を通じて購入指令があったときは、第１チューブＣＴ１００−１が満杯か否かを判定する（Ｓ１９−８）。ここで、第１チューブＣＴ１００−１が未だ満杯となっていないときは、図５の(b)に示すように、ソレノイドＳＣ４を励磁する（Ｓ１９−９）。これにより、第１保留部２１３に保留されている１００円コインが第１チューブＣＴ１００−１に収納される。また、第２保留部２１４に保留されている１００円コインについては、ソレノイドＳＣ１０を２回に亘って所定時間励磁して金庫側に導く（Ｓ１９−１０，Ｓ１９−１１）。
【００９８】
前記ステップＳ１９−８で第１チューブＣＴ１００−１が満杯のときは、ソレノイドＳＣ１０を所定時間励磁して、第２保留部２１４のコインを金庫に導く（Ｓ１９−１２）。次いで、ソレノイドＳＣ６を励磁する（Ｓ１９−１３）。これにより、第１保留部２１３に保留されている１００円コインが第２保留部２１４に導かれ、第２保留部２１４に２枚の１００円コインが保留された状態となる。しかる後、ソレノイドＳＣ１０を２回に亘って所定時間励磁する（Ｓ１９−１４，Ｓ１９−１５）。これにより、第２保留部２１４に保留された２枚の１００円コインが１枚ずつ金庫に導かれる。
【００９９】
第３実施形態によれば、返却される１００円コイン以外は、第１チューブＣＴ１００−１と金庫に収納され、第２チューブＣＴ１００−２に収納されることがない。即ち、この第２チューブＣＴ１００−２をオペレータが手でコインを補充するものとして設置することができ、前記第１実施形態に係るコイン処理装置よりも簡単な構造に構成している。その他の構成、作用は前記第１実施形態と同様である。
【０１００】
なお、前記各実施形態における各保留部２１３，２１４，２１８の保留許容枚数については、１枚以上であれば良く、その設定枚数を自動販売機の商品販売価格との関係で任意に設定すればよい。
【０１０１】
【発明の効果】
以上説明したように、本発明によれば、第１保留部及び第２保留部により、例えば投入された１００円コインを一時保留し、返却指令があったときは、保留された１００円コインがそのまま返却され、偽造・変造コインによる犯罪両替行為を防止できるし、また、この保留コインをコインチューブ又は金庫に適宜収容できる。また、第１保留部及び第２保留部の２箇所でコインを保留するため、保留箇所が増えた分、コイン保留枚数も多くすることができる。更にコインを第１コインチューブと第２コインチューブに振り分けられ、釣り銭用として自動補給されるコインチューブが増加する。
【図面の簡単な説明】
【図１】コイン処理装置の背面図
【図２】コイン処理装置のコイン識別部及びコイン振り分け部を示す内部構造図
【図３】コイン処理装置のコイン振り分け部及びコイン収納部の構造を示す斜視図
【図４】第２振り分け部の動作を示す断面図
【図５】第１保留部の動作を示す断面図
【図６】第１実施形態の返却指令時における第２保留部の動作を示す断面図
【図７】第１実施形態の第２チューブ収納時における第２保留部の動作を示す断面図
【図８】第１実施形態の金庫収納時における第２保留部の動作を示す断面図
【図９】第１実施形態のコイン処理装置の駆動制御回路を示すブロック図
【図１０】第１実施形態の１００円コイン処理制御を示すフローチャート
【図１１】第１実施形態に係る１枚コイン処理モードのフローチャート
【図１２】第１実施形態に係る２枚コイン処理モードのフローチャート
【図１３】第１実施形態に係る３枚コイン処理モードのフローチャート
【図１４】第２実施形態に係る１枚コイン処理モードのフローチャート
【図１５】第２実施形態に係る２枚コイン処理モードのフローチャート
【図１６】第２実施形態に係る３枚コイン処理モードのフローチャート
【図１７】第３実施形態の返却指令時における第２保留部の動作を示す断面図
【図１８】第３実施形態の金庫収納時における第２保留部の動作を示す断面図
【図１９】第３実施形態のコイン処理装置の駆動制御回路を示すブロック図
【図２０】第３実施形態に係る１枚コイン処理モードのフローチャート
【図２１】第３実施形態に係る２枚コイン処理モードのフローチャート
【図２２】第３実施形態に係る３枚コイン処理モードのフローチャート
【符号の説明】
１０…コイン識別部、２０…コイン振り分け部、３０…コイン収納部、２１３…第１保留部、２１４，２１８…第２保留部、ＳＣ１〜ＳＣ１１…ソレノイド、ＣＴ１００−１…第１チューブ、ＣＴ１００−２…第２チューブ。
【図１】
0004372983.tif 000002
【図２】
0004372983.tif 000003
【図３】
0004372983.tif 000004
【図４】
0004372983.tif 000005
【図５】
0004372983.tif 000006
【図６】
0004372983.tif 000007
【図７】
0004372983.tif 000008
【図８】
0004372983.tif 000009
【図９】
0004372983.tif 000010
【図１０】
0004372983.tif 000011
【図１１】
0004372983.tif 000012
【図１２】
0004372983.tif 000013
【図１３】
0004372983.tif 000014
【図１４】
0004372983.tif 000015
【図１５】
0004372983.tif 000016
【図１６】
0004372983.tif 000017
【図１７】
0004372983.tif 000018
【図１８】
0004372983.tif 000019
【図１９】
0004372983.tif 000020
【図２０】
0004372983.tif 000021
【図２１】
0004372983.tif 000022
【図２２】
0004372983.tif 000023